(57)【特許請求の範囲】
【請求項１】
第１の複数の半導体素子、前記第１の複数の半導体素子を動作させるための第１の駆動回路基板、前記前記第１の複数の半導体素子及び前記第１の駆動回路基板を取り付ける第１のフレーム、並びに前記第１のフレームが固定される第１の冷却部材を有する第１の半導体モジュールと、前記第１の半導体モジュールに対向すると共に、第２の複数の半導体素子、前記第２の複数の半導体素子を動作させるための第２の駆動回路基板、前記第２の複数の半導体素子及び前記第２の駆動回路基板を取り付ける第２のフレーム、並びに前記第２のフレームが固定される第２の冷却部材を有する第２の半導体モジュールと、を備えた半導体制御装置であって、
前記第１の半導体モジュールと前記第２の半導体モジュールとの間に配設されると共に、前記前記第１の複数の半導体素子及び前記第２の複数の半導体素子の動作を制御するための制御回路基板と、側壁、前記側壁で囲われることにより画成されて前記第１の半導体モジュール、第２の半導体モジュール及び前記制御回路基板を収容する内部空間、並びに前記内部空間を外部に開放すると共に互いに対向する第１の開口及び第２の開口を有するケースと、を更に備え、
前記第１のフレームは、前記第１の駆動回路基板と前記制御回路基板とを共差しにして位置決めする第１の複数の位置決めピンを有すると共に、前記第２のフレームは、前記第２の駆動回路基板と前記制御回路基板とを共差しにして位置決めする第２の複数の位置決めピンを有し、
前記第１の冷却部材は、前記第１の開口を塞ぐと共に、前記第２の冷却部材は、前記第２の開口を塞ぐことを特徴とする半導体制御装置。
【請求項２】
前記第１の複数の位置決めピンは、前記第１のフレームの対角の位置に各々設けられた位置決めピンを含むと共に、前記第２の複数の位置決めピンは、前記第２のフレームの対角の位置に各々設けられた位置決めピンを含むことを特徴とする請求項１に記載の半導体制御装置。
【請求項３】
前記第１の複数の位置決めピン及び前記第２の複数の位置決めピンは、協働して前記制御回路基板の４隅を各々挿通することを特徴とする請求項２に記載の半導体制御装置。
【請求項４】
前記第１の複数の位置決めピンは、前記第１の開口から前記第２の開口を向いた向きに前記第１のフレームから突設されると共に、前記第２の複数の位置決めピンは、前記第２の開口から前記第１の開口を向いた向きに前記第２のフレームから突設されることを特徴とする請求項３に記載の半導体制御装置。
【発明の詳細な説明】
【技術分野】
【０００１】
本発明は、半導体制御装置に関し、特に、冷却部材に半導体素子を装着した半導体モジュールを有し、電動モータへの駆動電力の供給を制御する電力制御装置に関する。
【背景技術】
【０００２】
近年、電動モータを駆動力源として備える電気自動車が普及してきている。電気自動車においては、バッテリから供給される直流電力を交流電力流に変換して電動モータに供給する制御を行うと共に、必要に応じて制動時等に回生機構により発電された交流電力を直流電力に変換してバッテリに蓄電する制御を行う電力制御装置（ＰＥＵ：Ｐｏｗｅｒ  Ｅｌｅｃｔｒｏｎｉｃ  Ｕｎｉｔ）のような半導体制御装置が設けられている。
【０００３】
かかる電力制御装置は、バッテリから供給される直流電力を交流電力流に変換すると共に、必要に応じて回生機構により発電された交流電力を直流電力に変換するパワーモジュールを備える。このようなパワーモジュールは、複数のスイッチング素子を組み合わせて電力変換を行うものであるため、複数のスイッチング素子の動作をさせるか、又はそれらの動作を制御するための複数の回路基板を伴うことが多い。また、パワーモジュールにおいては、比較的大きな電流が使用されているので、パワーＭＯＳＦＥＴ（Ｍｅｔａｌ  Ｏｘｉｄｅ  Ｓｅｍｉｃｏｎｄｕｃｔｏｒ  Ｆｉｅｌｄ  Ｅｆｆｅｃｔ  Ｔｒａｎｓｉｓｔｏｒ）やＩＧＢＴ（Ｉｎｓｕｌａｔｅｄ  Ｇａｔｅ  Ｂｉｐｏｌａｒ  Ｔｒａｎｓｉｓｔｏｒ）等のパワー系半導体素子がスイッチング素子として組み込まれることが多い。このようなパワー系半導体素子が動作すると大きな発熱を伴うので、その放熱経路を確保するために、パワーモジュールにはヒートシンクが装着されている。
【０００４】
特許文献１は、モータ制御装置に関し、複数のパワー系素子を内蔵するパワーモジュールに、端子配列や端子位置を変換する変換配線基板を介して、モータ印加電圧（電流）を制御する主プリント基板が接続され、かつ、主プリント基板は、スペーサを介して、パワーモジュールが取り付けられた放熱器に取り付けられる構成を開示する。
【先行技術文献】
【特許文献】
【０００５】
【特許文献１】特開２０００−９２８８８号公報
【発明の概要】
【発明が解決しようとする課題】
【０００６】
しかしながら、本発明者の検討によれば、特許文献１が開示する構成では、パワーモジュールに、端子配列や端子位置を変換する変換配線基板を介して、主プリント基板が接続されており、複数の形態が異なるパワーモジュールを用いる際に主プリント基板を共用化することを企図しているものではあるが、変換配線基板に設けられたコネクタと主プリント基板とを接続する必要がある。つまり、かかる構成では、変換配線基板に設けられたコネクタと主プリント基板とを接続する際の位置合わせが目視のみでなされる必要があり、変換配線基板に主プリント基板を接続する際の工数が煩雑である。
【０００７】
また、本発明者の更なる検討によれば、電力制御装置においては、複数のスイッチング素子の動作をさせ、又はそれらの動作を制御するための複数の回路基板を設けることが多いが、かかる場合、これらの複数の回路基板の位置合わせを目視のみに頼るのではなく、高い位置精度を有する位置決めピンを用いて、精度よく複数の回路基板同士の位置決めをすることが好ましい。ここで、特許文献１は、パワーモジュールに、端子配列や端子位置
を変換する変換配線基板を介して、主プリント基板を接続する構成を開示するものではあるが、高い位置精度を有する位置決めピンを用いて、精度よく複数の回路基板同士の位置決めをする具体的構成については、何等の教示をしていない。
【０００８】
本発明は、以上の検討を経てなされたものであり、複数の回路基板の構成を複雑にすることなく、位置決めピン自体の位置精度を向上することが可能で、かつ、このように高い位置精度を有する位置決めピンを効率的に用いて、精度よく複数の回路基板同士の位置決めをすることができることが可能な半導体制御装置を提供することを目的とする。
【課題を解決するための手段】
【０００９】
以上のような目的を達成するため、本発明の第１の局面は、第１の複数の半導体素子、前記第１の複数の半導体素子を動作させるための第１の駆動回路基板、前記前記第１の複数の半導体素子及び前記第１の駆動回路基板を取り付ける第１のフレーム、並びに前記第１のフレームが固定される第１の冷却部材を有する第１の半導体モジュールと、前記第１の半導体モジュールに対向すると共に、第２の複数の半導体素子、前記第２の複数の半導体素子を動作させるための第２の駆動回路基板、前記第２の複数の半導体素子及び前記第２の駆動回路基板を取り付ける第２のフレーム、並びに前記第２のフレームが固定される第２の冷却部材を有する第２の半導体モジュールと、を備えた半導体制御装置であって、前記第１の半導体モジュールと前記第２の半導体モジュールとの間に配設されると共に、前記前記第１の複数の半導体素子及び前記第２の複数の半導体素子の動作を制御するための制御回路基板と、側壁、前記側壁で囲われることにより画成されて前記第１の半導体モジュール、第２の半導体モジュール及び前記制御回路基板を収容する内部空間、並びに前記内部空間を外部に開放すると共に互いに対向する第１の開口及び第２の開口を有するケースと、を更に備え、前記第１のフレームは、前記第１の駆動回路基板と前記制御回路基板とを共差しにして位置決めする第１の複数の位置決めピンを有すると共に、前記第２のフレームは、前記第２の駆動回路基板と前記制御回路基板とを共差しにして位置決めする第２の複数の位置決めピンを有し、前記第１の冷却部材は、前記ケースに固定されて前記第１の開口を塞ぐと共に、前記第２の冷却部材は、前記ケースに固定されて前記第２の開口を塞ぐ半導体制御装置である。
【００１０】
また、本発明の第２の局面は、かかる第１の局面に加えて、前記第１の複数の位置決めピンは、前記第１のフレームの対角の位置に各々設けられた位置決めピンを含むと共に、前記第２の複数の位置決めピンは、前記第２のフレームの対角の位置に各々設けられた位置決めピンを含む半導体制御装置である。
【００１１】
また、本発明の第３の局面は、かかる第２の局面に加えて、前記第１の複数の位置決めピン及び前記第２の複数の位置決めピンは、協働して前記制御回路基板の４隅を各々挿通する半導体制御装置である。
【００１２】
また、本発明の第４の局面は、かかる第３の局面に加えて、前記第１の複数の位置決めピンは、前記第１の開口から前記第２の開口を向いた向きに前記第１のフレームから立設されると共に、前記第２の複数の位置決めピンは、前記第２の開口から前記第１の開口を向いた向きに前記第２のフレームから立設される半導体制御装置である。
【発明の効果】
【００１３】
本発明の第１の局面における半導体制御装置においては、ケースに固定された第１の冷却部材に固定されると共に、第１の半導体素子及び第１の半導体素子を動作させるための第１の駆動回路基板を取り付ける第１のフレームに、第１の駆動回路基板と半導体素子の動作を制御するための制御回路基板とを共差しにして位置決めする第１の複数の位置決めピンを設け、かつ、ケースに固定された第２の冷却部材に固定されると共に、第２の半導体素子及び第２の半導体素子を動作させるための第２の駆動回路基板を取り付ける第２のフレームに、第２の駆動回路基板と半導体素子の動作を制御するための制御回路基板とを共差しにして位置決めする第２の複数の位置決めピンを設けることにより、複数の回路基板の構成を複雑にすることなく、位置決めピン自体の位置精度を向上することが可能で、かつ、このように高い位置精度を有する位置決めピンを効率的に用いて、精度よく駆動回路基板及び制御回路基板同士の位置決めをすることができる。
【００１４】
併せて、本発明の第１の局面における半導体制御装置においては、制御回路基板が、第１の半導体モジュールと第２の半導体モジュールとの間に配置されることにより、半導体素子、駆動回路基板、制御回路基板及びフレームを収容するケースにおいてレイアウト上で許容される内部空間を有効活用しながら、幅や奥行きのサイズを減じて装置全体を小型化できると共に、発熱源や大電流経路から遠ざけることが必要な制御回路基板をそれらから確実に遠ざけながら、精度よく駆動回路基板及び制御回路基板同士の位置決めをすることができる。
【００１５】
本発明の第２の局面における半導体制御装置においては、第１の複数の位置決めピンが、第１のフレームの対角の位置に各々設けられた一対の位置決めピンを含むと共に、第２の複数の位置決めピンが、第２のフレームの対角の位置に各々設けられた位置決めピンを含むことにより、簡便な構成で、より精度よく駆動回路基板及び制御回路基板同士の位置決めをすることができる。
【００１６】
本発明の第３の局面における半導体制御装置においては、第１の複数の位置決めピン及び第２の複数の位置決めピンが、協働して制御回路基板の４隅を各々挿通することにより、簡便な構成でより精度よく駆動回路基板及び制御回路基板同士の位置決めをすることができる。
【図面の簡単な説明】
【００１７】
【図１】本発明における実施形態の電力制御装置をそのパワーモジュールの一方が組立状態にある状態で示す分解斜視図である。
【図２】図２（ａ）は、図１における矢印Ａ方向に沿って見た本実施形態の電力制御装置を示す正面図、図２（ｂ）は、図１における矢印Ｂ方向に沿って見た本実施形態の電力制御装置を示す側面図、及び図２（ｃ）は、図１における矢印Ｃ方向から見た本実施形態の電力制御装置を示す裏面図である。
【図３】図２（ａ）及び図２（ｃ）におけるＳ３−Ｓ３切断線において切断した本実施形態の電力制御装置を示す拡大詳細断面図である。なお、図３中の各締結部材は、便宜上、その頭部のみを示す。
【図４】本実施形態の電力制御装置を、パワーモジュールの双方が制御回路基板を挟んで対向した状態で示す拡大分解斜視図である。
【発明を実施するための形態】
【００１８】
以下、本発明の実施形態における半導体制御装置につき、電力制御装置を例に挙げ、適宜図面を参照して、詳細に説明する。なお、図中、ｘ軸、ｙ軸及びｚ軸は、３軸直交座標系を成し、ｚ軸方向が上下方向であり、ｘ−ｙ平面が水平面である。
【００１９】
［制御システムの構成］
まず、本実施形態における半導体制御装置である電力制御装置が適用される制御システムの構成について、詳細に説明する。
【００２０】
図１から図４に示す本実施形態における半導体制御装置である電力制御装置１は、典型的には、いずれも図示を省略するが、駆動力源である電動モータ及び二次電池であるバッテリを搭載すると共に、減速時に回生電力を生成する回生機構を備えた電気自動車に搭載される。
【００２１】
電力制御装置１は、電気自動車において、それ単独で、又は電動モータ、バッテリ及び回生機構を総合的に制御する図示を省略した制御装置の制御の下で、バッテリから電動モータへ駆動電力の供給を制御自在であると共に、回生機構からバッテリへ回生電力の供給を制御自在である。例えば、電動モータの駆動電流に三相交流電流を用いる場合、電力制御装置１は、バッテリから供給される直流電流をＵ相、Ｖ相及びＷ相の三相の交流電流に安定的に変換して、その交流電流を電動モータに供給するＤＣ／ＡＣコンバータの機能と、回生機構から生成された回生交流電流を直流電流に安定的に変換して、その直流電流をバッテリに供給するＡＣ／ＤＣコンバータの機能と、を併せ持つ。なお、電力制御装置１は、必要に応じて、バッテリから供給される直流電流を交流電流に安定的に変換して、その交流電流を電動モータに供給するＤＣ／ＡＣコンバータ機能のみを有していてもよい。
【００２２】
電動モータは、例えば、三相交流の電力が供給されて動作する三相ブラシレス電動モータであり、電気自動車を駆動する駆動力を供給する。
【００２３】
バッテリは、典型的にはニッケル水素系やリチウムイオン系の二次電池であり、電動モータやその他の補機に必要な電力を供給すると共に、回生機構から生成される回生電力を蓄電する。
【００２４】
なお、電力制御装置１は、電動モータに加えて内燃機関等のエンジンを搭載するハイブリッド自動車や、燃料電池を搭載する燃料電池自動車に適用することも可能である。電力制御装置１をハイブリッド自動車に適用した場合には、電力制御装置１は、バッテリから電動モータへの駆動電力の供給を制御自在であると共に、回生機構からバッテリへの回生電力の供給及びエンジンの補機である発電機からバッテリへの発電電力の供給を制御自在である。また、電力制御装置１を燃料電池自動車に適用した場合には、電力制御装置１は、燃料電池から電動モータへの駆動電力の供給を制御自在であると共に、回生機構からバッテリへの回生電力の供給を制御自在である。また、電力制御装置１を電気自動車、ハイブリッド自動車及び燃料電池自動車のいずれに適用した場合においても、電力制御装置１は、必要に応じて、制動時等における電動モータからバッテリへの回生電力の供給を制御することも可能である。
【００２５】
［電力制御装置の全体構成］
次に、本実施形態における半導体制御装置である電力制御装置１の全体構成につき、主としてバッテリからの直流電流を三相交流電流に変換して電動モータに供給する場合を例に挙げて、詳細に説明する。
【００２６】
図１から図４に示すように、電力制御装置１は、第１の冷却部材２１の内側の表面としての一方の表面２１Ａ上にスイッチング機能を有する第１の半導体素子２３（Ｕ）、２４（Ｖ）及び２５（Ｗ）をｘ軸方向に隣接並置して装着した第１の半導体モジュール２と、第２の冷却部材３１の内側の表面としての一方の表面３１Ａ上にスイッチング機能を有する第２の半導体素子３３（Ｕ）、３４（Ｖ）及び３５（Ｗ）をｘ軸方向に隣接並置して装着した第２の半導体モジュール３と、上下方向に延在する典型的には矩形筒状の側壁７１を有し、かつ、側壁７１により囲われた内部空間Ｓを画成すると共に、側壁７１の上下方向の両端に画成されて互いに対向しながら内部空間Ｓを外部に開放する第１の開口７Ｈ１及び第２の開口７Ｈ２を有した典型的にはＰＰＳ（ポリフェニレンサルファイド）樹脂等の樹脂製の一体成形品であるケース７と、第１の半導体素子２３（Ｕ）〜２５（Ｗ）及び第２の半導体素子３３（Ｕ）〜３５（Ｗ）のスイッチング動作を制御する制御ＩＣ（Ｉｎｔｅｇｒａｔｅｄ  Ｃｉｒｃｕｉｔ）５５１等を実装する制御回路基板であって典型的には矩形平板状の回路基板５５と、を主として備える。これらの構成部品は、上下方向で実質的に同軸に重層される。また、ケース７において、ｙ−ｚ平面に平行でｘ軸の正方向側の側壁７１には、回路基板５５に電気的に接続される制御端子を有する制御用コネクタ７５が配設されている。
【００２７】
電力制御装置１においては、第１の半導体素子２３（Ｕ）〜２５（Ｗ）を、ケース７の第１の開口７Ｈ１を介してそこからケース７の内部空間Ｓ内に侵入させた状態でケース７に収納すると共に、第１の冷却部材２１の外側の表面である他方の表面２１Ｂをケース７の外に露出させながら第１の冷却部材２１の一方の表面２１Ａをケース７の下端に当接することにより、第１の冷却部材２１で第１の開口７Ｈ１を閉じた状態で、ケース７に第１の半導体モジュール２を装着する。
【００２８】
同様に、電力制御装置１においては、第２の半導体素子３３（Ｕ）〜３５（Ｗ）を、ケース７の第２の開口７Ｈ２を介してそこからケース７の内部空間Ｓ内に侵入させた状態でケース７に収納すると共に、第２の冷却部材３１の外側の表面である他方の表面３１Ｂをケース７の外に露出させながら第２の冷却部材３１の一方の表面３１Ａをケース７の上端に当接することにより、第２の冷却部材３１で第２の開口７Ｈ２を閉じた状態で、ケース７に第２の半導体モジュール３を装着する。
【００２９】
回路基板５５は、典型的にはＰＣＢ（Ｐｒｉｎｔｅｄ  Ｃｉｒｃｕｉｔ  Ｂｏａｒｄ）
であり、そのプリント配線に各々電気的に接続しながら、制御ＩＣ５５１に加え、図示を省略する抵抗素子、コンデンサ等の各種素子をおもて面（上側面）上に実装すると共に、その計３個の張り出し部５５３のおもて面上に対応して計３個の電流センサ５５２を実装する制御回路基板である。制御ＩＣ５５１は、第１の半導体素子２３（Ｕ）〜２５（Ｗ）及び第２の半導体素子３３（Ｕ）〜３５（Ｗ）のスイッチング動作の制御を行う。また、電流センサ５５２は、各々、非接触型の電流センサ、典型的にはホール素子を有するコアレス型の電流センサであり、各々、Ｕ相交流電流、Ｖ相交流電流、及びＷ相交流電流により発生する磁界を対応して検出し電流信号に変換する。
【００３０】
かかる回路基板５５は、ケース７の内部空間Ｓ内において、第１の半導体モジュール２と第２の半導体モジュール３との間に、それらの第１の半導体素子２３（Ｕ）〜２５（Ｗ）及び第２の半導体素子３３（Ｕ）〜３５（Ｗ）からそれぞれ適度に離間した状態で、水平面と平行になるようにケース７に装着される。
【００３１】
具体的には、回路基板５５は、ケース７の第１の開口７Ｈ１と第２の開口７Ｈ２との間であって、その裏面（下側面）を第１の冷却部材２１の一方の表面２１Ａに対向させると共に、そのおもて面を第２の冷却部材３１の一方の表面３１Ａに対向させた状態で、第１の冷却部材２１及び第２の冷却部材３１に対して上下方向で並置されて装着される。かかる構成により、回路基板５５は、内部空間Ｓを有効に利用しながら、第１の半導体素子２３（Ｕ）〜２５（Ｗ）及び第２の半導体素子３３（Ｕ）〜３５（Ｗ）から必要な距離をとって適度に離間し配設されることになる。よって、第１の半導体素子２３（Ｕ）〜２５（Ｗ）及び第２の半導体素子３３（Ｕ）〜３５（Ｗ）自体及びそれらの動作時に相対的に大電流が流れる電流経路から、回路基板５５、制御ＩＣ５５１及びその制御電流経路を遠ざけられて、かかる回路基板５５等への不要な熱や電磁波の影響を低減すると共にそれらの耐久性を向上する。
【００３２】
ここで、回路基板５５が、ケース７の第１の開口７Ｈ１と第２の開口７Ｈ２との中間、つまり第１の半導体モジュール２と第２の半導体モジュール３との中間に配置されていれば、回路基板５５を第１の半導体素子２３（Ｕ）〜２５（Ｗ）及び第２の半導体素子３３（Ｕ）〜３５（Ｗ）から適度にバランスよく離間しながら、電力制御装置１の全体構成をよりコンパクトにすることができるため、より好ましい。
【００３３】
さて、図１から図４に示すように、第１の半導体モジュール２は、第１の冷却部材２１、並びに第１の半導体素子２３（Ｕ）、２４（Ｖ）及び２５（Ｗ）を備えると共に、更に、フレーム４１、押さえ部材４２及び回路基板５１を備える。
【００３４】
第１の冷却部材２１は、典型的にはアルミニウム合金製でケース７に固定され、第１の半導体素子２３（Ｕ）〜２５（Ｗ）の動作時に発せられる熱を受けて外部に放熱するヒートシンクとしての機能と、第１の半導体素子２３（Ｕ）〜２５（Ｗ）を装着する装着部材としての機能と、ケース７の第１の開口７Ｈ１を塞ぐ蓋としての機能と、を有して、電力制御装置１の構造体の一部をなしている。
【００３５】
第１の冷却部材２１の一方の表面２１Ａは、段差の無いフラットな平面として構成され、その反対側の他方の表面２１Ｂには、放熱効率を高めるために複数枚の放熱フィン２１５が規則的に配列された態様で配設されている。第１の冷却部材２１には、種々の取り付け用の貫通孔２１１や雌ねじを有する締結孔が配設されており、これらは必要に応じて防水や防塵のための図示を省略するプラグ等で塞がれることが好ましい。第１の冷却部材２１の水平方向におけるサイズは、第１の半導体モジュール２、第２の半導体モジュール３及び回路基板５５の水平方向における各々のサイズよりも大きい。
【００３６】
第１の半導体モジュール２の第１の半導体素子２３（Ｕ）は、三相交流電流のうちのＵ相の低電位側交流電流を生成するローサイド側スイッチング機能を有する。第１の半導体素子２３（Ｕ）は、図示を省略する半導体チップと、半導体チップを封止するパッケージであって符号を省略した封止体と、封止体の一端（ｙ軸の正方向端）から延出したガルウィング状で板状の第１の電源入力端子２３１と、封止体の他端（ｙ軸の負方向端）から延出したガルウィング状で板状の第１の出力端子２３２と、封止体の一端及び他端から上方に延出して符号を省略した接続リードと、を備える。
【００３７】
半導体チップには、高耐圧特性を有するＩＧＢＴ、パワーＭＯＳＦＥＴ等のパワー系半導体素子が使用される。封止体には、典型的にはエポキシ樹脂封止体等の樹脂封止体が使用される。第１の電源入力端子２３１のインナー側は、封止体内において半導体チップの入力端子に電気的に接続され、第１の電源入力端子２３１のアウター側は、第１の接続導体８１（Ｎ）に電気的に接続される。第１の出力端子２３２のインナー側は、封止体内において半導体チップの出力端子に電気的に接続され、第１の出力端子２３２のアウター側は、第３の接続導体８３（Ｕ）に電気的に接続される。
【００３８】
第１の半導体モジュール２のその他の第１の半導体素子２４（Ｖ）及び第１の半導体素子２５（Ｗ）は、第１の半導体素子２３（Ｕ）と同一の構成を有するものであるため、同様の構成については適宜説明を簡略化又は省略する。具体的には、第１の半導体素子２４（Ｖ）及び第１の半導体素子２５（Ｗ）には、第１の半導体素子２３（Ｕ）と同種の製品、典型的には同型番の製品が使用され、第１の半導体素子２３（Ｕ）〜２５（Ｗ）には互換性がある。
【００３９】
つまり、第１の半導体素子２４（Ｖ）は、三相交流電流のうちのＶ相の低電位側交流電流を生成するローサイド側スイッチング機能を有し、第１の半導体素子２３（Ｕ）と同様に第１の電源入力端子２４１及び第１の出力端子２４２等を備え、これらは、第１の接続導体８１（Ｎ）及び第３の接続導体８４（Ｖ）等に対応して電気的に接続される。また、第１の半導体素子２５（Ｗ）は、三相交流電流のうちのＷ相の低電位側交流電流を生成するローサイド側スイッチング機能を有し、第１の半導体素子２３（Ｕ）と同様に第１の電源入力端子２５１及び第１の出力端子２５２等を備え、これらは、第１の接続導体８１（Ｎ）及び第３の接続導体８５（Ｗ）等に対応して電気的に接続される。なお、必要に応じて、第１の半導体素子２３（Ｕ）〜２５（Ｗ）を統合して、単一の半導体素子を採用してもよい。
【００４０】
ここで、特に図１、図３及び図４に示すように、３個の第１の半導体素子２３（Ｕ）〜２５（Ｗ）は、フレーム４１に取り付けられ、フレーム４１に取り付けられた状態で第１の冷却部材２１の一方の表面２１Ａ上に装着される。フレーム４１は、枠体４１１と、枠体４１１に立設された計２本の位置決めピン４１２及び４１３と、を備える。かかる位置決めピン４１２及び４１３は、フレーム４１と回路基板５１との位置決め精度を向上すると共に、回路基板５１と回路基板５５との位置決め精度を向上する観点から、位置決めピン４１２及び４１３間のスパンを増大することが好ましいため、平面視で矩形状であるフレーム４１の対角線上で対向する各々の隅部に立設されることが好ましい。なお、図３中では、位置決めピン４１３は手前にあるため、それを鎖線で仮想的に示している。
【００４１】
枠体４１１は、第１の半導体素子２３（Ｕ）〜２５（Ｗ）を水平面と平行にｘ軸方向で隣接配置して保持すると共に、第１の電源入力端子２３１〜２５１を互いに平行な状態でｘ軸方向に整列して配置し、第１の電源入力端子２３１〜２５１の反対側で各々対応するように第１の出力端子２３２〜２５２を互いに平行な状態でｘ軸方向に整列して配置する。枠体４１１には、典型的には射出成形によって製作した樹脂製枠体が使用される。位置決めピン４１２及び４１３は、典型的には枠体４１１に一体成形されて上下方向に延在す
る。なお、枠体４１１、位置決めピン４１２及び４１３は、重量の増加等が許されれば金属製であってもよいし、構成の煩雑さが許されれば別体であってもよい。
【００４２】
また、特に図１及び図３に示すように、フレーム４１の枠体４１１には、押さえ部材４２が固定されて取り付けられる。押さえ部材４２は、第１の半導体素子２３（Ｕ）〜２５（Ｗ）を枠体４１１に適度な押圧力で押圧した状態で、枠体４１１と第１の冷却部材２１の一方の表面２１Ａとの間に第１の半導体素子２３（Ｕ）〜２５（Ｗ）を介装する。押さえ部材４２は、符号を省略したねじ等の締結部材を用いて枠体４１１に固定される。押さえ部材４２は、弾性を有し機械加工等の加工性に優れた典型的にはステンレス鋼等の金属材料により製作される。押さえ部材４２には、枠体４１１への取り付け部分と第１の半導体素子２３（Ｕ）〜２５（Ｗ）の押さえ部分との間に所望のばね定数を付与するためのＵ字状断面等を有するリブが配設されている。
【００４３】
また、特に図１及び図３に示すように、フレーム４１は、第１の半導体素子２３（Ｕ）〜２５（Ｗ）を第１の冷却部材２１の一方の表面２１Ａ上に載置された絶縁シート２２に当接した状態で、押さえ部材４２や回路基板５１用の符号を省略したねじ等の締結部材を共用して、第１の冷却部材２１の一方の表面２１Ａ上に固定される。絶縁シート２２は、第１の冷却部材２１と第１の半導体素子２３（Ｕ）〜２５（Ｗ）との間の電気的な絶縁性を確保しつつ、第１の半導体素子２３（Ｕ）〜２５（Ｗ）の動作によって発生する熱を効率良く第１の冷却部材２１に伝達自在な伝熱性を有する。絶縁シート２２には、典型的にはシリコーンゴム系シートが使用される。
【００４４】
また、特に図１、図３及び図４に示すように、回路基板５１は、典型的には矩形平板状であって、ケース７の内部空間Ｓ内において、第１の半導体素子２３（Ｕ）〜２５（Ｗ）と回路基板５５との間でケース７に装着される。回路基板５１は、第１の半導体素子２３（Ｕ）〜２５（Ｗ）のスイッチング動作を制御するために回路基板５５の制御ＩＣ５５１から送出される制御信号に基づき、第１の半導体素子２３（Ｕ）〜２５（Ｗ）を駆動してスイッチング動作させる駆動ＩＣ５１１を実装する駆動回路基板である。なお、駆動ＩＣ５１１は、第１の半導体素子２３（Ｕ）〜２５（Ｗ）を各々駆動する複数の駆動ＩＣに分割されていてもよい。
【００４５】
詳しくは、回路基板５１は、フレーム４１の位置決めピン４１２及び４１３に適合する一対の位置決め孔５１２を有して、位置決めピン４１２及び４１３を対応する位置決め孔５１２に挿通することによりフレーム４１に位置決めされた状態で、符号を省略したねじ等の締結部材を用いてフレーム４１に水平面と平行に装着される。この際、回路基板５５の裏面と回路基板５１のおもて面（上側面）とは、平行に対向する。
【００４６】
かかる回路基板５１は、典型的にはＰＣＢであり、そのプリント配線に各々電気的に接続しながら、駆動ＩＣ５１１に加えて、図示を省略する抵抗素子、コンデンサ等の各種素子をおもて面上に実装すると共に、その配線基板から上方に引き出されてキンク形状が付与された符号を省略する接続リードを有する。回路基板５１は、その接続リードを回路基板５５のおもて面に実装された図示を省略するコネクタを介して回路基板５５に電気的に接続すると共に、第１の半導体素子２３（Ｕ）〜２５（Ｗ）の接続リードに電気的に接続される。つまり、回路基板５１は、その接続リードを介して、回路基板５５の制御ＩＣ５５１から送出される制御信号を受け、その制御信号に基づいて作動する駆動ＩＣ５１１からの駆動信号を、第１の半導体素子２３（Ｕ）〜２５（Ｗ）の接続リードを介して、第１の半導体素子２３（Ｕ）〜２５（Ｗ）に送出することにより、第１の半導体素子２３（Ｕ）〜２５（Ｗ）をスイッチング動作させるためのものである。
【００４７】
一方で、図１から図４に示すように、第２の半導体モジュール３は、その取り付け位置
が第１の半導体モジュール２よりも上方にあり、その取り付け姿勢が第１の半導体モジュール２とは天地が逆になり、かつ、その使用形態が第１の半導体モジュール２とは異なるものの、第１の半導体モジュール２と同一の構成を有するものであるため、同様の構成については適宜説明を簡略化又は省略する。具体的には、第２の半導体モジュール３は、第２の冷却部材３１と、第２の半導体素子３３（Ｕ）、３４（Ｖ）及び３５（Ｗ）と、を備えると共に、更に、フレーム４３、押さえ部材４４及び回路基板５２等を備える。
【００４８】
つまり、第２の冷却部材３１は、第１の冷却部材２１と同一の構成を有し、第１の冷却部材２１と同様にフラットな平面である一方の表面３１Ａ、放熱フィン３１５が配設された他方の表面３１Ｂ及び貫通孔３１１等を有する。また、第２の半導体素子３３（Ｕ）は、第１の半導体素子２３（Ｕ）と同一の構成を有するものであるが、三相交流電流のうちのＵ相の高電位側交流電流を生成するハイサイド側スイッチング機能を有し、第１の半導体素子２３（Ｕ）と同様に第２の電源入力端子３３１及び第２の出力端子３３２等を備え、これらは、第２の接続導体８２（Ｐ）及び第３の接続導体８３（Ｕ）等に対応して電気的に接続される。また、第２の半導体素子３４（Ｖ）は、第２の半導体素子３３（Ｕ）と同一の構成を有するものであるが、Ｖ相の高電位側交流電流を生成するハイサイド側スイッチング機能を有し、第２の半導体素子３３（Ｕ）と同様に第２の電源入力端子３４１及び第２の出力端子３４２等を備え、これらは、第２の接続導体８２（Ｐ）及び第３の接続導体８４（Ｖ）等に対応して電気的に接続される。また、第２の半導体素子３５（Ｗ）は、第２の半導体素子３３（Ｕ）と同一の構成を有するものであるが、三相交流電流のうちのＷ相の高電位側交流電流を生成するハイサイド側スイッチング機能を有し、第１の半導体素子２３（Ｕ）と同様に第２の電源入力端子３５１及び第２の出力端子３５２等を備え、これらは、第２の接続導体８２（Ｐ）及び第３の接続導体８５（Ｗ）等に対応して電気的に接続される。
【００４９】
ここで、特に図１、図３及び図４に示すように、３個の第２の半導体素子３３（Ｕ）〜３５（Ｗ）は、フレーム４１と同一の構成を有するフレーム４３に取り付けられ、フレーム４３に取り付けられた状態で第２の冷却部材３１の一方の表面３１Ａ上に装着される。フレーム４３は、枠体４３１と、枠体４３１に立設された計２本の位置決めピン４３２及び４３３と、を備える。かかる位置決めピン４３２及び４３３は、フレーム４３と回路基板５２との位置決め精度を向上すると共に、回路基板５２と回路基板５５との位置決め精度を向上する観点から、位置決めピン４３２及び４３３間のスパンを増大することが好ましいため、平面視で矩形状であるフレーム４３の対角線上で対向する各々の隅部に立設されることが好ましい。また、かかる位置決めピン４３２及び４３３は、フレーム４１及び４３の天地を合わせた場合に、フレーム４１に設けられる位置決めピン４１２及び４１３に対して同一の位置になるように配置されることが好ましい。というのは、電力制御装置１の組立時において、第１の半導体モジュール２と第２の半導体モジュール３とは、互いに天地が逆になってケース７に取り付けられるものであるため、フレーム４１及び４３の天地を合わせた場合に、フレーム４１に設けられる位置決めピン４１２及び４１３と、フレーム４３に設けられる位置決めピン４３２及び４３３と、が、フレーム４１及び４３において対応して同一の位置になるように配置されていれば、平面視で矩形状である回路基板５５の４隅を貫通し得て、最少個数の位置決めピンで正確に回路基板５５の位置決めができるためである。なお、図３中では、位置決めピン４３３は手前にあるため、それを鎖線で仮想的に示している。
【００５０】
また、押さえ部材４４は、押さえ部材４２と同一の構成を有し、フレーム４３の枠体４３１に固定されて取り付けられる。する。また、絶縁シート３２は、絶縁シート２２と同一の構成を有し、第２の冷却部材３１の一方の表面３１Ａ上に載置される。また、回路基板５２は、回路基板５１と同一の構成を有し、第２の半導体素子３３（Ｕ）〜３５（Ｗ）を駆動してスイッチング動作させる駆動ＩＣ５２１を実装する駆動回路基板であって、フ
レーム４３の位置決めピン４３２及び４３３に適合する一対の位置決め孔５２２等を配設する。
【００５１】
ここで、回路基板５１及び５２の間に配置される回路基板５５は、フレーム４１の位置決めピン４１２及び４１３、並びにフレーム４３の位置決めピン４３２及び４３３に適合する計４個の位置決め孔５５５を、その４隅に対応して有する。
【００５２】
つまり、回路基板５５は、位置決めピン４１２、４１３、４３２及び４３２を、その４隅に対応して設けられた位置決め孔５５５に対応して挿通することにより、位置決めピン４１２及び４１３をその位置決め孔５１２に挿通することによりフレーム４１に位置決めされた回路基板５１と、位置決めピン４３２及び４３３をその位置決め孔５２２に挿通することによりフレーム４３に位置決めされた回路基板５２と、に対して共差し状態になってフレーム４１及び４３に位置決めされた状態で、符号を省略したねじ等の締結部材を用いてケース７に装着される。この際、フレーム４１とフレーム４３とは天地を逆にして対向されるから、回路基板５５は、その４隅の位置決め孔５５５に位置決めピン４１２、４１３、４３２及び４３２が対応して挿通され得るものである。なお、かかる場合の回路基板５５の組付け性を向上するために、その４隅に形成される位置決め孔５５５のうちの１個の径を大きく設定してもよい。
【００５３】
更に、電力制御装置１は、いずれもケース７に装着された、１個の第１の接続導体８１（Ｎ）と、１個の第２の接続導体８２（Ｐ）と、計３個の第３の接続導体８３（Ｕ）、８４（Ｖ）及び８５（Ｗ）と、を備える。
【００５４】
第１の接続導体８１（Ｎ）及び第２の接続導体８２（Ｐ）は、電動モータに電力を供給する場合には、バッテリに電気的に接続されてバッテリから電力が供給される場合の電源入力配線として機能する。具体的には、第１の接続導体８１（Ｎ）は、バッテリのマイナス端子に電気的に接続され、第２の接続導体８２（Ｐ）は、バッテリのプラス端子に電気的に接続される。
【００５５】
具体的には、図１、図３及び図４に示すように、第１の接続導体８１（Ｎ）は、相対的に大電流が流れる電流経路であり、ケース７の内部空間Ｓ内の間隙部を有効に利用し、この間隙部をｘ軸方向に延在すると共に、ケース７の側壁７１から貫通孔７１１を介し延出してその突出端が第１の電源入力端子７２として使用される。第１の電源入力端子７２には、バッテリのマイナス端子からの電気配線の接続端子を締結する雌ねじを有した締結孔８１５が配設される。
【００５６】
かかる第１の接続導体８１（Ｎ）には、各々が雌ねじを有する計３個の締結孔８１３がその下面から上方を向いて配設され、各々が雌ねじを有する計２個の締結孔８１４がその上面から下方を向いた締結孔及びその下面から上方を向いた締結孔として配設されている。第１の半導体素子２５（Ｗ）の第１の電源入力端子２５１は、ねじ等の締結部材８１１を用いて、第１の接続導体８１（Ｎ）の下面に締結孔８１３を介して機械的に締結され電気的に接続される。同様に、第１の半導体素子２３（Ｕ）の第１の電源入力端子２３１及び第１の半導体素子２４（Ｖ）の第１の電源入力端子２４１は、各々、同じ符号で図示する締結部材８１１を用いて、第１の接続導体８１（Ｎ）の下面に同じ符号で図示する締結孔８１３を介して機械的に締結され電気的に接続される。ここで、締結部材８１１は、図示を省略する直状柄を有したドライバ等の締結工具を第１の冷却部材２１の貫通孔２１１から内部空間Ｓ内に侵入させて締結される。また、第１のコンデンサ９１の接続端子９１２が、締結部材８１２及び締結孔８１４を用いて第１の接続導体８１（Ｎ）の上面に機械的に締結されて電気的に接続されると共に、第２のコンデンサ９２の接続端子９２２が、各々第１のコンデンサ９１に関するものと同じ符号で図示する締結部材８１２及び締結孔
８１４を用いて第１の接続導体８１（Ｎ）の下面に機械的に締結されて電気的に接続される。
【００５７】
また、図１、図３及び図４に示すように、第２の接続導体８２（Ｐ）は、相対的に大電流が流れる電流経路であり、その取り付け位置が第１の接続導体８１（Ｎ）よりも上方にあり、かつ、その取り付け姿勢が第１の接続導体８１（Ｎ）とは天地が逆になること以外は、第１の接続導体８１（Ｎ）と同一の部材である。つまり、第２の接続導体８２（Ｐ）は、第１の接続導体８１（Ｎ）と同様に締結孔８２３、８２４及び８２５等を配設する。ここで、第２の半導体素子３３（Ｕ）の第２の電源入力端子３３１、第２の半導体素子３４（Ｖ）の第２の電源入力端子３４１及び第２の半導体素子３５（Ｗ）の第２の電源入力端子３５１は、各々、同じ符号で図示する締結部材８２１を用いて、第２の接続導体８２（Ｐ）の上面に同じ符号で図示する締結孔８２３を介して機械的に締結され電気的に接続される。また、第１のコンデンサ９１の接続端子９１１が、締結部材８２２及び締結孔８２４を用いて第２の接続導体８２（Ｐ）の上面に機械的に締結されて電気的に接続されると共に、第２のコンデンサ９２の接続端子９２１が、各々第１のコンデンサ９１に関するものと同じ符号で図示する締結部材８２２及び締結孔８２４を用いて第２の接続導体８２（Ｐ）の下面に機械的に締結されて電気的に接続される。また、ケース７の側壁７１から貫通孔７１２を介して延出した第２の接続導体８２（Ｐ）の突出端は、締結孔８２５が配設された第２の電源入力端子７３として使用され、バッテリのプラス端子からの電気配線の接続端子は、締結孔８２５に機械的に締結されて電気的に接続される。なお、バッテリを充電する場合には、第１の接続導体８１（Ｎ）及び第２の接続導体８２（Ｐ）は、出力配線として機能する。
【００５８】
第３の接続導体８３（Ｕ）、８４（Ｖ）及び８５（Ｗ）は、電動モータに電気的に接続されて電動モータに電力を供給する場合の三相交流電流の出力配線として機能する。具体的には、第３の接続導体８３（Ｕ）は、電動モータのＵ相の駆動電流入力端子に電気的に接続され、第３の接続導体８４（Ｖ）は、電動モータのＶ相の駆動電流入力端子に電気的に接続され、かつ、第３の接続導体８５（Ｗ）は、電動モータのＷ相の駆動電流入力端子に電気的に接続される。
【００５９】
具体的には、図１、図３及び図４に示すように、第３の接続導体８５（Ｗ）は、相対的に大電流が流れる電流経路であり、第１の接続導体８１（Ｎ）及び第２の接続導体８２（Ｐ）に対して、第１の半導体モジュール２の内部空間Ｓ内に位置する部分、回路基板５５及び第２の半導体モジュール３の内部空間Ｓ内に位置する部分を介在させてｙ軸方向で反対側に配設され、ケース７の内部空間Ｓ内の間隙部を有効に利用し、この間隙部をｙ軸方向に延在すると共に、ケース７の側壁７１から対応する貫通孔７１３を介して延出してその突出端が出力端子７４として使用される。第３の接続導体８５（Ｗ）の出力端子７４には、電動モータのＷ相の駆動電流入力端子を締結する雌ねじを有した締結孔８５２が配設される。
【００６０】
かかる第３の接続導体８５（Ｗ）は、特に図３に示すように、ケース７の内部空間Ｓ内において、回路基板５５に実装される制御ＩＣ５５１やその相対的な小電流経路である制御電流経路から適度に離間しながら、水平方向では、側壁７１から第１の半導体モジュール２の内部空間Ｓ内に位置する部分に至る間隙部をｙ軸方向に延在して、ｘ−ｚ平面における縦断面を略矩形状とした角柱状で直状の水平ブロック部を有すると共に、上下方向では、第１の半導体モジュール２の内部空間Ｓ内に位置する部分の近傍から上方に起立し、回路基板５５の対応する貫通孔５５４を貫通しながら第１の半導体素子２５（Ｗ）の第１の出力端子２５２と第２の半導体素子３５（Ｗ）の第２の出力端子３５２との間に跨るように、第１の半導体モジュール２の内部空間Ｓ内に位置する部分、回路基板５５及び第２の半導体モジュール３の内部空間Ｓ内に位置する部分と、電流センサ５５３と、の間の間
隙部をｚ軸方向に延在して、ｘ−ｙ平面における横断面を略矩形状とした角柱状で直状の起立ブロック部を水平ブロック部に対して一体に有するブロック構造体である。なお、かかる貫通孔５５４は、第３の接続導体８３（Ｕ）〜８５（Ｗ）の全てを挿通自在に１個のみ設けられていてもよい。
【００６１】
かかる第３の接続導体８５（Ｗ）には各々が雌ねじを有する上下一対の締結孔８５１を対向して配設され、特に図３に示すように、第２の半導体素子３５（Ｗ）の第２の出力端子３５２は、締結部材８５５及び締結孔８５１を用いて第３の接続導体８５（Ｗ）の起立ブロック部の上端面に機械的に締結されて電気的に接続される。同様に、第１の半導体素子２５（Ｗ）の第１の出力端子２５２は、各々同じ符号で図示する締結部材８５５及び締結孔８５１を用いて第３の接続導体８５（Ｗ）の起立ブロック部の下端面に機械的に締結されて電気的に接続される。ここで、締結部材８５５は、図示を省略する直状柄を有したドライバ等の締結工具を、第１の冷却部材２１の対応する貫通孔２１１又は第２の冷却部材３１の対応する貫通孔３１１から内部空間Ｓ内に侵入させて締結される。
【００６２】
第３の接続導体８５（Ｗ）に対してｘ軸の負方向側に隣接並置される第３の接続導体８４（Ｖ）、及び第３の接続導体８４（Ｖ）に対してｘ軸の負方向側に隣接並置される第３の接続導体８３（Ｕ）は、各々、相対的に大電流が流れる電流経路であり、それらの取り付け位置が第３の接続導体８５（Ｗ）とは異なること以外は、第３の接続導体８５（Ｗ）と同一の部材である。つまり、第３の接続導体８３（Ｕ）及び第３の接続導体８４（Ｖ）は、第３の接続導体８５（Ｗ）と同様に、ケース７の内部空間Ｓ内の間隙部を有効に利用し、この間隙部をｙ軸方向に延在すると共に、ケース７の側壁７１から延出してその突出端が出力端子７４として使用される。第３の接続導体８３（Ｕ）及び８４（Ｖ）の出力端子７４には、電動モータのＵ相及びＶ相の駆動電流入力端子を対応して締結する雌ねじを有した締結孔８３２及び８４２が対応して配設される。ここで、第２の半導体素子３３（Ｕ）の第２の出力端子３３２は、締結部材８３５及び雌ねじを有する締結孔８３１を用いて第３の接続導体８３（Ｕ）の起立ブロック部の上端面に機械的に締結されて電気的に接続されると共に、第１の半導体素子２３（Ｕ）の第１の出力端子２３２は、各々同じ符号で図示する締結部材８３５及び雌ねじを有する締結孔８３１を用いて第３の接続導体８３（Ｕ）の起立ブロック部の下端面に機械的に締結されて電気的に接続される。また、第２の半導体素子３４（Ｖ）の第２の出力端子３４２は、締結部材８４５及び雌ねじを有する締結孔８４１を用いて第３の接続導体８４（Ｖ）の起立ブロック部の上端面に機械的に締結されて電気的に接続されると共に、第１の半導体素子２４（Ｖ）の第１の出力端子２４２は、各々同じ符号で図示する締結部材８４５及び雌ねじを有する締結孔８４１を用いて第３の接続導体８４（Ｖ）の起立ブロック部の下端面に機械的に締結されて電気的に接続される。また、電動モータのＵ相の駆動電流入力端子は、第３の接続導体８３（Ｕ）の出力端子７４に配設された締結孔８３２を介して、機械的に締結されて電気的に接続され、電動モータのＶ相の駆動電流入力端子は、第３の接続導体８４（Ｖ）の出力端子７４に配設された締結孔８４２を介して、機械的に締結されて電気的に接続される。なお、回生機構から回生電力が入力される場合には、第３の接続導体８３（Ｕ）、８４（Ｖ）及び８５（Ｗ）は、入力配線として機能する。
【００６３】
更に、電力制御装置１は、ケース７に装着されてその内部空間Ｓ内に収容される計２個の第１のコンデンサ９１及び第２のコンデンサ９２を備える。第１のコンデンサ９１は、接続端子９１１及び９１２を有し、第２のコンデンサ９２は、接続端子９２１及び９２２を有する。つまり、第１のコンデンサ９１及び第２のコンデンサ９２は、接続端子９１１及び９１２の配設位置と接続端子９２１及び９２２の配設位置とが上下方向で異なること以外は、それらの静電容量や形状を含めて同一の構成を有する。
【００６４】
第１のコンデンサ９１及び第２のコンデンサ９２は、各々、第１の接続導体８１（Ｎ）
と第２の接続導体８２（Ｐ）との間に互いに電気的に並列に接続されると共に、第１の半導体素子２３（Ｕ）〜２５（Ｗ）及び第２の半導体素子３３（Ｕ）〜３５（Ｗ）に対して電気的に並列に接続されて、電動モータに電力を供給する場合には、バッテリからの直流電流を平滑化する平滑コンデンサとして機能する。なお、バッテリを充電する場合には、第１のコンデンサ９１及び第２のコンデンサ９２は、第１の半導体素子２３（Ｕ）〜２５（Ｗ）及び第２の半導体素子３３（Ｕ）〜３５（Ｗ）からの直流電流を平滑化する平滑コンデンサとして機能する。また、必要に応じて、第１のコンデンサ９１及び第２のコンデンサ９２を統合して、単一のコンデンサを採用してもよいし、よりコンデンサの数を増やして、３個以上のコンデンサを採用してもよい。
【００６５】
このように、まず、電力制御装置１においては、筒状のケース７の上下両端に第１の半導体モジュール２及び第２の半導体モジュール３を対応して装着し、かつ、そのケース７の内部空間Ｓにおける第１の半導体モジュール２と第２の半導体モジュール３との間に回路基板５５を配置した重層構造を採用しているため、内部空間Ｓを有効利用し装置全体の構成をコンパクトにして小型化しながら、放熱経路をケース７の上下両端で確保して装置全体の放熱性を向上すると共に、回路基板５５等への不要な熱や電磁波の影響を低減してそれらの耐久性を向上する。
【００６６】
［電力制御装置の組み立て］
以上の構成を有する電力制御装置１の組み立て方法につき、以下詳細に説明する。
【００６７】
まず、第１の冷却部材２１の一方の表面２１Ａ上に絶縁シート２２を配設する一方で、第１の半導体素子２３（Ｕ）〜２５（Ｗ）を収容したフレーム４１に対して押さえ部材４２を取り付けると共に駆動ＩＣ５１１等が実装された回路基板５１を取り付け、かかる状態のフレーム４１を、絶縁シート２２を介して、第１の冷却部材２１の一方の表面２１Ａに対して締結して取り付けることにより、第１の半導体モジュール２を組み上げる。
【００６８】
この際、回路基板５１の一対の位置決め孔５１２には、フレーム４１の枠体４１１の対角線上で対向する各々の隅部に立設された計２本の位置決めピン４１２及び４１３が対応して挿通することにより、回路基板５１は、フレーム４１に対して位置決めされて、第１の半導体モジュール２において所定の位置に取り付けられる。
【００６９】
同様に、第２の冷却部材３１の一方の表面３１Ａ上に絶縁シート３２を配設する一方で、第２の半導体素子３３（Ｕ）〜３５（Ｗ）を収容したフレーム４３に対して押さえ部材４４を取り付けると共に駆動ＩＣ５２１等が実装された回路基板５２を取り付け、かかる状態のフレーム４３を、絶縁シート３２を介して、第３の冷却部材３１の一方の表面３１Ａに対して締結して取り付けることにより、第２の半導体モジュール３を組み上げる。
【００７０】
この際、回路基板５２の一対の位置決め孔５２２には、フレーム４３の枠体４３１の対角線上で対向する各々の隅部に立設された計２本の位置決めピン４３２及び４３３が対応して挿通することにより、回路基板５２は、フレーム４３に対して位置決めされて、第２の半導体モジュール３において所定の位置に取り付けられる。
【００７１】
併せて、シール部材を介在させて貫通孔７１１を貫通させた状態の第１の接続導体８１（Ｎ）、シール部材を介在させて貫通孔７１２を貫通させた状態の第２の接続導体８２（Ｐ）、及びシール部材を介在させて貫通孔７１３を対応して貫通させた状態の第３の接続導体８３（Ｕ）〜８５（Ｗ）を、ケース７の側壁７１に各々設けられた図示を省略する固定部に対応して取り付ける。
【００７２】
更に、かかる状態の第１の接続導体８１（Ｎ）及び第２の接続導体８２（Ｐ）に対して
、各々対応する締結部材８１２及び８２２、並びに締結孔８１４及び８２４を利用して、第１のコンデンサ９１の接続端子９１１及び９１２、並びに第２のコンデンサ９２の接続端子９２１及び９２２を締結することにより、第１のコンデンサ９１及び第２のコンデンサ９２を、ケース７の内部空間Ｓ内に収容した状態で第１の接続導体８１（Ｎ）及び第２の接続導体８２（Ｐ）に取り付ける。
【００７３】
次に、かかる状態のケース７に対して、第１の半導体モジュール２を、第１の半導体素子２３（Ｕ）〜２５（Ｗ）を第１の開口７Ｈ１を介して内部空間Ｓ内に配置すると共に第１の冷却部材２１の他方の表面２１Ｂをケース７外に露出する状態で取り付けて、第１の冷却部材２１により第１の開口７Ｈ１を塞ぐ。
【００７４】
この際、第１の半導体モジュール２の位置決めピン４１２及び４１３を、回路基板５５の４隅に設けられた位置決め孔５５５のうちの対角線上で対向する一対の位置決め孔５５５に対応して挿通することにより、回路基板５５を、回路基板５１の上方でケース７の側壁７１に各々設けられた符号を省略する固定部上に載置しながら、ケース７に取り付けられた第１の半導体モジュール２に対して位置決めする。
【００７５】
次に、かかる状態のケース７に対して、第２の半導体モジュール３を、第２の半導体素子３３（Ｕ）〜３５（Ｗ）を第２の開口７Ｈ２を介して内部空間Ｓ内に配置すると共に第２の冷却部材２１の他方の表面３１Ｂをケース７外に露出する状態で取り付けて、第２の冷却部材３１により第２の開口７Ｈ２を塞ぐ。
【００７６】
この際、第２の半導体モジュール３の位置決めピン４３２及び４３３を、回路基板５５の４隅に設けられた位置決め孔５５５のうちの対角線上で対向する残余の一対の位置決め孔５５５に対応して挿通させることにより、回路基板５５と第２の半導体モジュール３とを位置決めしながら、回路基板５５をケース７の固定部に取り付ける。ここで、回路基板５５の４隅に設けられた位置決め孔５５５には、第１の半導体モジュール２の位置決めピン４１２及び４１３、並びに第２の半導体モジュール３の位置決めピン４３２及び４３３が対応して挿通されて、回路基板５５の４隅の位置が、各々がケース７に固定された第１の半導体モジュール２及び第２の半導体モジュール３に対して正確に位置決めされることにより、回路基板５５が、これらに対して正規の位置に正確に配設され、回路基板５５及びその接続リードに不要な応力等が生じない。
【００７７】
次に、図示を省略する締結工具を第１の冷却部材２１の貫通孔２１１から内部空間Ｓ内に順次侵入させながら、締結部材８１１を対応する締結孔８１３に締め込むことにより、第１の半導体素子２３（Ｕ）〜２５（Ｗ）の第１の電源入力端子２３１〜２５１は、第１の接続導体８１（Ｎ）に対して締結されると共に、締結部材８３５〜８５５を対応する締結孔８３１〜８５１に締め込むことにより、第１の半導体素子２３（Ｕ）〜２５（Ｗ）の第１の出力端子２３２〜２５２は、第３の接続導体８３（Ｕ）〜８５（Ｗ）に対して締結される。
【００７８】
次に、図示を省略する締結工具を第２の冷却部材３１の貫通孔３１１から内部空間Ｓ内に順次侵入させながら、締結部材８２１を対応する締結孔８２３に締め込むことにより、第２の半導体素子３３（Ｕ）〜３５（Ｗ）の第２の電源入力端子３３１〜３５１は、第２の接続導体８２（Ｐ）に対して締結されると共に、締結部材８３５〜８５５を対応する締結孔８３１〜８５１に締め込むことにより、第２の半導体素子３３（Ｕ）〜３５（Ｗ）の第２の出力端子３３２〜３５２は、第３の接続導体８３（Ｕ）〜８５（Ｗ）に対して締結される。
【００７９】
そして、必要に応じ、第１の冷却部材２１の貫通孔２１１及び第２の冷却部材３１の貫
通孔３１１を、図示を省略するグロメット等で塞ぐことにより、電力制御装置１の組み立ては完了する。
【００８０】
なお、本発明は、部材の形状、配置、個数等は前述の実施形態に限定されるものではなく、その構成要素を同等の作用効果を奏するものに適宜置換する等、発明の要旨を逸脱しない範囲で適宜変更可能であることはもちろんである。
【産業上の利用可能性】
【００８１】
以上のように、本発明においては、複数の回路基板の構成を複雑にすることなく、位置決めピン自体の位置精度を向上することが可能で、かつ、このように高い位置精度を有する位置決めピンを効率的に用いて、精度よく複数の回路基板同士の位置決めをすることができることが可能な半導体制御装置を提供することができるものであるため、その汎用普遍的な性格から広範に電力制御装置等の半導体制御装置の分野に適用され得るものと期待される。
【符号の説明】
【００８２】
１…電力制御装置
２、３…半導体モジュール
２１、３１…冷却部材
２１１、３１１…貫通孔
２１５、３１５…放熱フィン
２１Ａ、２１Ｂ、３１Ａ、３１Ｂ…表面
２２、３２…絶縁シート
２３、２４、２５、３３、３４、３５…半導体素子
２３１、２４１、２５１、３３１、３４１、３５１…電源入力端子
２３２、２４２、２５２、３３２、３４２、３５２…出力端子
４１、４３…フレーム
４１１、４３１…枠体
４１２、４１３、４３２、４３３…位置決めピン
４２、４４…押さえ部材
５１、５２、５５…回路基板
５１１、５２１…駆動ＩＣ
５１２、５２２、５５５…位置決め孔
５５１…制御ＩＣ
５５２…電流センサ
５５３…張り出し部
５５４…貫通孔
５５５…位置決め孔
７…ケース
７１…側壁
７１１、７１２、７１３…貫通孔
７Ｈ１、７Ｈ２…開口
７２、７３…電源入力端子
７４…出力端子
７５…制御用コネクタ
８１、８２、８３、８４、８５…接続導体
８１１、８１２、８２１、８２２、８３５、８４５、８５５…締結部材
８１３、８１４、８１５、８２３、８２４、８２５、８３１、８３２、８４１、８４２、８５１、８５２…締結孔
９１、９２…コンデンサ
９１１、９１２、９２１、９２２…接続端子
【図１】
0005713858.tif 000002
【図２】
0005713858.tif 000003
【図３】
0005713858.tif 000004
【図４】
0005713858.tif 000005